【手続補正書】
【提出日】平成17年6月1日(2005.6.1)
【手続補正１】
【補正対象書類名】特許請求の範囲
【補正対象項目名】全文
【補正方法】変更
【補正の内容】
【特許請求の範囲】
【請求項１】
ディジタルシネマシステムにおいて、周波数ベースの画像データを直列化するための方法、該方法は下記を具備する：
１６×１６ブロックで表すことが可能な少なくとも一つのデータグループをコンパイルする；
該データグループを４個の８×８ブロックで表すことが可能なグループに分割する；
８×８ブロック内の１つ以上の値を評価して、直列化することの最も効率的な走査スキームを決定する；及び
決定されたスキームに従って、該４個の８×８データブロックの各々を直列化する。
【請求項２】
直列化することは、該４個の８×８データブロックの各々をジグザグ走査することを備えている、請求項１に記載の方法。
【請求項３】
直列化することは、該４個の８×８データブロックの各々を垂直走査することを備えている、請求項１に記載の方法。
【請求項４】
直列化することは、該４個の８×８データブロックの各々を水平走査することを備えている、請求項１に記載の方法。
【請求項５】
少なくとも一つのグループをコンパイルすることは、複数の１６×１６ブロックで表すことが可能なデータフレームをコンパイルすることを備えている、請求項１に記載の方法。
【請求項６】
該周波数ベースの画像データは、Ｙ、Ｃｂ、およびＣｒカラー成分に分離される、請求項１に記載の方法。
【請求項７】
該Ｙ、Ｃｂ、およびＣｒカラー成分がさらに偶数および奇数のカラー成分に分離される、請求項６に記載の方法。
【請求項８】
ディジタルシネマシステムにおいて、ディジタル画像を圧縮するための方法、該画像は画素データを備え、
該画素データはカラー成分に分離される、該方法は下記の動作を具備する：
画素データのカラー成分のグループを読み取る；
ブロックサイズ割当を生成して、画素のカラー成分のグループを画素データのサブブロックに分割する；
画素データのサブブロックを、対応する周波数ドメイン表示に変換する；及び
該周波数ドメイン表示をデータストリームにスケーリングする、ここにおいて、該スケーリング動作は該画像の品質と相関する品質基準に基づいている；
少なくとも一つのデータグループを、１６×１６ブロックで表すことが可能な該ストリームデータからコンパイルする；
該１６×１６データグループを、４個の８×８ブロックで表すことが可能なグループに分割する；及び
該４個の８×８データブロックの各々を直列化する。
【請求項９】
該スケーリング動作は、さらに周波数重みマスクを該画素データのサブブロックに提供する動作を備えており、該周波数重みマスクは、人間の視覚システムがより敏感な該画像の部分を強調し、人間の視覚システムがより敏感でない該画像の部分はより低く強調する、請求項８に記載の方法。
【請求項１０】
該スケーリング動作は、さらに該画像の品質に基づいて該画素データのサブブロックを量子化する動作を備えている、請求項８に記載の方法。
【請求項１１】
該品質基準は信号対雑音比である、請求項８に記載の方法。
【請求項１２】
該変換動作は、離散コサイン変換を実行する、請求項８に記載の方法。
【請求項１３】
該変換動作は離散コサイン変換に続いて差分カッドツリー変換を実行する、請求項８に記載の方法。
【請求項１４】
該カラー成分はＹ、Ｃｂ、およびＣｒカラー成分である、請求項８に記載の方法。
【請求項１５】
該Ｙ、Ｃｂ、およびＣｒカラー成分は、偶数および奇数カラー成分に分離される、請求項１４に記載の方法。
【請求項１６】
ディジタルシネマシステムにおいて、周波数ベースの画像データを直列化するための装置、該装置は下記を具備する：
１６×１６ブロックで表すことが可能な少なくとも一つのデータグループをコンパイルするための手段；
該データグループを４個の８×８ブロックで表すことが可能な複数のグループに分割するための手段；
８×８ブロック内の１つ以上の値を評価して、直列化することの最も効率的な走査スキームを決定するための手段；及び
決定されたスキームに従って、該４個の８×８データブロックの各々を直列化するための手段。
【請求項１７】
該直列化するための手段が、該４個の８×８データブロックの各々をジグザグ走査するための手段を備えている、請求項１６に記載の装置。
【請求項１８】
該直列化するための手段は、該４個の８×８データブロックの各々を垂直走査するための手段を備えている、請求項１６に記載の装置。
【請求項１９】
該直列化するための手段は、該４個の８×８データブロックの各々を水平走査するための手段を備えている、請求項１６に記載の装置。
【請求項２０】
少なくとも一つのグループをコンパイルするための手段は、複数の１６×１６ブロックで表すことが可能なデータフレームをコンパイルするための手段を備えている、請求項１６に記載の装置。
【請求項２１】
該周波数ベースの画像データは、Ｙ、ＣｂおよびＣｒカラー成分に分離される、請求項１６に記載の装置。
【請求項２２】
さらに該Ｙ、ＣｂおよびＣｒカラー成分は、偶数および奇数のカラー成分に分離される、請求項２１に記載の装置。
【請求項２３】
ディジタルシネマシステムにおいて、ディジタル画像を圧縮するための装置、該画像は画素データを備え、該画素データはカラー成分に分離される、該装置は下記を具備する：
画素データのグループを読み取るための手段；
該画素グループを画素データのサブブロックに分割するために、ブロックサイズ割当を生成するための手段；
画素データの該サブブロックを、対応する周波数ドメイン表示に変換するための手段；及び
該周波数ドメイン表示をデータストリームにスケーリングするための手段、ここにおいて該スケーリング動作は、該画像の品質と相関する品質基準に基づいている；
少なくとも一つのデータグループを、１６×１６ブロックで表すことが可能な該ストリームデータからコンパイルするための手段；
該１６×１６データグループを、４個の８×８ブロックで表すことが可能なグループに分割するための手段；及び
該４個の８×８データブロックの各々を直列化するための手段。
【請求項２４】
該変換するための手段は、離散コサイン変換を実行する、請求項２３に記載の装置。
【請求項２５】
該変換するための手段は、離散コサイン変換に続いて差分カッドツリー変換を実行する、請求項２３に記載の装置。
【請求項２６】
該カラー成分はＹ、ＣｂおよびＣｒのカラー成分である、請求項２３に記載の装置。
【請求項２７】
該Ｙ、ＣｂおよびＣｒカラー成分は、偶数および奇数のカラー成分に分離される、請求項２６に記載の装置。
【請求項２８】
ディジタルシネマシステムにおいて、周波数ベースの画像データを直列化するように構成された装置、該装置は下記を具備する：
１６×１６ブロックで表すことが可能な少なくとも一つのデータグループをコンパイルするように構成されたコンパイラ；
該データグループを４個の８×８ブロックで表すことが可能な複数のグループに分割するように構成された分割器；
８×８ブロック内の１つ以上の値を評価して、直列化することの最も効率的な走査スキームを決定するように構成された評価器；及び
決定されたスキームに従って、該４個の８×８データブロックの各々を直列化するように構成された直列化器。    
【請求項２９】
該直列化器は、さらに、該４個の８×８データブロックの各々をジグザグ走査するように構成されたジグザグスキャナを備えている、請求項２８に記載の装置。
【請求項３０】
該直列化器は、さらに、該４個の８×８データブロックの各々を垂直走査するように構成された垂直スキャナを備えている、請求項２８に記載の装置。
【請求項３１】
該直列化器は、さらに該４個の８×８データブロックの各々を水平走査するように構成された水平スキャナを備えている、請求項２８に記載の装置。
【請求項３２】
該コンパイラは、複数の１６×１６ブロックで表すことが可能なデータフレームをコンパイルするように構成されている、請求項２８に記載の装置。
【請求項３３】
該周波数ベースの画像データは、Ｙ、ＣｂおよびＣｒカラー成分に分離される、請求項２８に記載の装置。
【請求項３４】
該Ｙ、ＣｂおよびＣｒカラー成分は、さらに偶数および奇数のカラー成分に分離される、請求項３３に記載の装置。
【請求項３５】
ディジタルシネマシステムにおいて、ディジタル画像を圧縮するように構成された装置、該画像は画素データを備えている、該装置は下記を具備する：
画素データのグループを読み取るように構成された読み取り器；
該画素グループを画素データのサブブロックに分割するためのブロックサイズ割当を生成する生成器；
該画素データのサブブロックを、対応する周波数ドメイン表示に変換するように構成された変換器；
該周波数ドメイン表示をデータストリームにスケーリングするように構成されたスケーラ、ここにおいて、該スケーリング動作は該画像の品質と相関する品質基準に基づいている；
少なくとも一つのデータグループを、１６×１６ブロックで表すことが可能な該ストリームデータからコンパイルするように構成されたコンパイラ；
該１６×１６データグループを、４個の８×８ブロックで表すことが可能な複数のグループに分割するように構成された分割器；及び
該４個の８×８データブロックの各々を直列化するように構成された直列化器。